(57)【要約】【課題】前面ガラスの内面の清掃を容易に行うことができるショーケースを提供する。【解決手段】ショーケース１は、商品Ｃを陳列する複数段の陳列棚Ａ１〜Ａ４と、これらの陳列棚Ａ１〜Ａ４を収容するケース本体１０と、各陳列棚Ａ１〜Ａ４を照らすＬＥＤ５０とを備えている。ケース本体１０は、左右の側面枠部材１１，１１と、これらの側面枠部材１１，１１の上部に架けわたされた上部フレーム１２と、側面枠部材１１，１１の下部に架けわたされた下部フレーム１３と、上部フレーム１２および下部フレーム１３の前面側に配置された４枚の前面ガラス部材１４−１〜１４−４と、上部フレーム１２および下部フレーム１３の背面側に配置された背面扉１５とを備えて構成されている。前面ガラス部材１４−１〜１４−４は、それぞれが開閉支持機構３５により前面ガラス部材１４−１〜１４−４の上部側を回動支点として開閉自在な構成となっている。【選択図】図１
2015016023.tif 000002
【特許請求の範囲】
【請求項１】
商品を陳列する複数段の陳列棚と、これらの陳列棚を収容するケース本体と、前記各陳列棚を照らす照明装置とを備えたショーケースであって、
前記ケース本体を、左側面及び右側面に配置された側面枠部材と、これらの側面枠部材の上部に架けわたされた上部フレームと、前記側面枠部材の下部に架けわたされた下部フレームと、前記上部フレームおよび下部フレームの前面側に配置された前面透明部材と、前記上部フレームおよび下部フレームの背面側に配置された背面扉とを備えて構成し、
前記各前面透明部材を前記各陳列棚に対応して複数枚で構成すると共に、それぞれを、透明部材開閉支持機構により開閉自在に構成し、
前記各透明部材開閉支持機構を、前記各前面透明部材の上部領域に対応して前記各側面枠部材の同位置に設けられた回動支持軸と、前記各前面透明部材に設けられ前記回動支持軸に回動自在に係合する係合部材と、で構成したことを特徴とするショーケース。
【請求項２】
請求項１に記載したショーケースにおいて、
前記各前面透明部材の上部および下部の相互間に配置されると共に前記各側面枠部材にわたって設けられ前記上部および下部が当接する透明部材位置決め機構を設け、
この透明部材位置決め機構を、断面逆凹状に形成すると共にその内面部側に前記各前面透明部材の上部が当接しかつ位置決めされる第１のストッパ部と、
前記位置決め機構の外面部側に前記各前面透明部材の下部が当接しかつ位置決めされる第２のストッパ部と、で構成し、
前記第１のストッパ部を、前記透明部材位置決め機構に装着された緩衝部材を備えて構成すると共に、前記第２のストッパ部を、前記各前面透明部材の下部に装着された緩衝部材を備えて構成したことを特徴とするショーケース。
【請求項３】
請求項１または請求項２に記載したショーケースにおいて、
前記各前面透明部材を、透明部材本体部とその透明部材本体部の縁部全周を覆う補強フレーム部とで構成し、
前記補強フレーム部のうち少なくとも各前面ガラスの下部側の補強フレーム部を不透明部材で形成すると共に前記各透明部材位置決め機構が隠れる幅寸法に形成し、
前記下部側の補強フレーム部を、前記陳列棚に陳列される商品名や価格を表示するプライスカードホルダー貼付部としたことを特徴とするショーケース。
【請求項４】
請求項２または請求項３に記載したショーケースにおいて、
前記照明装置をＬＥＤで構成すると共に当該ＬＥＤを前記透明部材位置決め機構に装備し、前記ＬＥＤを前記各前面透明部材の上部の外側領域に配置したことを特徴とするショーケース。
【請求項５】
請求項２ないし請求項４のいずれか一つに記載したショーケースにおいて、
前記各透明部材位置決め機構に前記各前面透明部材用の簡易ロック機構を設け、
この簡易ロック機構を、前記各透明部材位置決め機構の端部に設けられたロック部材のロック部と、前記補強フレーム部の下部延長部に設けられ前記ロック部に係合する係合部と、で構成したことを特徴とするショーケース。
【請求項６】
請求項１ないし請求項５のいずれか一つに記載したショーケースにおいて、
前記各前面透明部材をそれぞれ扁平ガラス部材で構成したことを特徴とするショーケース。
【請求項７】
請求項１ないし請求項５のいずれか一つに記載したショーケースにおいて、
前記各前面透明部材をそれぞれ前面側が膨らんだ曲面ガラス部材で構成したことを特徴とするショーケース。
【発明の詳細な説明】
【技術分野】
【０００１】
本発明はショーケースに係り、さらに詳しくは、ショーケースを構成する前面ガラスの内面部の清掃性の向上を図れるように構成したショーケースに関する。
【背景技術】
【０００２】
例えばコンビニエンスストアにはレジ用カウンターが設置されており、このレジ用カウンターには、卓上型のコールドショーケースや、ホットショーケース等が載置されている。そして、これらの各ショーケースの内面部には、冷却または加温された飲料物や調理済みの食品が陳列されるようになっている。
【０００３】
ところで、以上のような各ショーケース、特にホットショーケースでは、陳列棚に並べられる、例えば、から揚げ等から上がる油分を含んだ湯気等のため、ホットショーケースを構成する前面ガラスの内面部が曇り、ショーケース内面部の商品が見えにくくなる、という課題が生じている。
この場合、通常時は店が閉まった後等に、ショーケースの全体の清掃を行う際に、前面ガラスの内面部の清掃も同時に行うことが多いが、店を開いているときでも前面ガラスの内面部の汚れが目立つときは、そのままにしておいては、その後の商品の販売に悪影響が及ぶので、例えば客足の鈍る時間帯等に、特に汚れの目立つ前面ガラスの内面部を清掃する必要がある。
【０００４】
ショーケースの前面ガラスの内面部を清掃する技術として、透明部材からなる正面壁（前面ガラス）をメインフレーム（ショーケース本体）から引き出しておいて、前面ガラスとショーケース本体との隙間を利用して前面ガラスの内面部を清掃する技術が知られている（例えば特許文献１参照）。
また、ショーケース全体を、高さ方向中央部に配置された仕切り板で上下方向に二分すると共に、前面透明壁（前面ガラス）の下部を開閉可能な前扉とし、この前扉を開いてからその内面部の清掃ができるようにしたショーケースが知られている（例えば特許文献２参照）。
【先行技術文献】
【特許文献】
【０００５】
【特許文献１】特開２００８−１６７９２７号公報
【特許文献２】特許第４６７５０９８号公報
【発明の概要】
【発明が解決しようとする課題】
【０００６】
しかし、上記特許文献１では次のような問題点がある。
すなわち、ホットショーケースで陳列棚にヒーターを設置した場合には、陳列棚とヒーターとが配線で繋がっていることにより、陳列棚を取り外すことが難しい。そのため、ショーケース本体から前面ガラスを引き出しておいて、その隙間に手を差込んで雑巾等で前ガラスの内面を拭かなくてはならない。前面ガラスの面積はかなり広いので、片方の手を反対側まで伸ばして内面全体を拭くのは困難であり、結局、片手で半分ずつ拭くことになり、作業効率も悪く、前ガラスの内面の清掃が大変である。
また、ショーケース本体と同等の前面ガラスを引き出すことになるので、構造的に大規模となり、また強固なレールが必要となる。
さらに、前面ガラスを前方に引き出すことになるので、ショーケースの前方にその移動範囲分のスペースが必要となると共に、前面ガラスを前方に引き出した後、前面ガラスとショーケース本体の横に、清掃のため人が入るスペースが必要となる。その結果、その範囲に物を置くことができないと言う制約がある。
【０００７】
また、上記特許文献２では次のような問題点がある。
まず、ショーケースが上下方向に仕切り板で仕切られ、前面透明壁（前面ガラス）の下部が開閉可能な前扉となっているので、その前扉内面の清掃は、前扉を開閉することで行うことができるので容易に行える。
しかし、仕切り板で仕切られた上方の前面透明壁（前面ガラス）の内面の清掃は困難である。すなわち、開閉可能な前扉を開いておいて、前面側から手をショーケースの内面部に差し込んで前面透明壁の上方の内面を清掃するか、あるいは、ショーケースの背面側から手を伸ばして清掃するかしかなく、いずれの場合も清掃が困難である。
前面側から清掃する場合、開閉可能な前扉を開いて前面透明壁の上方の内面を清掃しなければならず、そのとき、開いている前扉が邪魔となる。そのため、前扉の一方側の横から手を差込んでの清掃となるが、他方側の隅まで手が届きにくく、結果的に両側からそれぞれ清掃することになり、作業効率も悪いという問題が生じる。
【０００８】
〔発明の目的〕
本発明は、上述した各課題を解決するために提案されたものであり、その目的は、前面ガラスの内面部の清掃を容易に行うことができるショーケースを提供することにある。
【課題を解決するための手段】
【０００９】
前記目的を達成するために、本願発明のショーケースは、商品を陳列する複数段の陳列棚と、これらの陳列棚を収容するケース本体と、前記各陳列棚を照らす照明装置とを備えたショーケースであって、
前記ケース本体を、左側面及び右側面に配置された側面枠部材と、これらの側面枠部材の上部に架けわたされた上部フレームと、前記側面枠部材の下部に架けわたされた下部フレームと、前記上部フレームおよび下部フレームの前面側に配置された前面透明部材と、前記上部フレームおよび下部フレームの背面側に配置された背面扉とを備えて構成し、
前記各前面透明部材を前記各陳列棚に対応して複数枚で構成すると共に、それぞれを、透明部材開閉支持機構により開閉自在に構成し、
前記各透明部材開閉支持機構を、前記各前面透明部材の上部領域に対応して前記各側面枠部材の同位置に設けられた回動支持軸と、前記各前面透明部材に設けられ前記回動支持軸に回動自在に係合する係合部材と、で構成したことを特徴とする。
【発明の効果】
【００１０】
本願発明のショーケースによれば、前面透明部材が各陳列棚に対応して複数枚で構成されており、それぞれの前面透明部材が開閉支持機構により前面透明部材の上部側を回動支点として開閉自在な構成となっているので、内面部の清掃を必要とする前面透明部材の下部側を開いて、前面透明部材を例えば水平状態にして清掃することができる。そのうえ、前面透明部材が複数枚で構成されており、前面透明部材の一枚一枚の面積が少ないので、清掃が容易であり、かつ短時間で行える。
また、複数枚の前面透明部材のそれぞれが開閉支持機構により独立して開閉できるので、特に汚れが目立ち、緊急に清掃する必要のある前面透明部材がある場合でも、ショーケースの運転を停止せずに、当該前面透明部材のみを開いて清掃することができるので、他段の陳列棚の商品が冷めることもない。
【図面の簡単な説明】
【００１１】
【図１】本発明に係るショーケースの第１実施形態を示す縦断面図である。
【図２】図１におけるII矢視のショーケースの全体正面図である。
【図３】図２におけるIII矢視の全体右側面図である。
【図４】図３におけるIV矢視のショーケースの全体背面図である。
【図５】図３におけるV−V線に沿った縦断面図である。
【図６】前記第１実施形態におけるショーケースの最上段の前面ガラスの取り付け状態を示す部分詳細の縦断面図である。
【図７】前記第１実施形態におけるショーケースの途中の段の前面ガラスの取り付け状態を示す部分詳細の断面図である。
【図８】図７におけるVIII矢視図である。
【図９】前記第１実施形態におけるショーケースの最下段の前面ガラスの取り付け状態を示す部分詳細の断面図である。
【図１０】前記第１実施形態におけるショーケースの前面ガラスの簡易ロック機構を示す詳細縦断面図である。
【図１１】前記第１実施形態におけるショーケースの各陳列棚にプライスカードが貼付された状態を表し、同図（Ａ）は４枚の前面ガラスが閉じられた状態、同図（Ｂ）は１枚の前面ガラスが開かれた状態の斜視図である。
【図１２】前記第１実施形態におけるショーケースの一つの前面ガラスを取り外した状態を示す部分動作詳細図である。
【図１３】本発明に係るショーケースの第２実施形態を示す縦断面図で、図１に相当する図である。
【図１４】前記第１実施形態のショーケースにおいて陳列棚のトレイに高さの高い商品が陳列されている場合の部分詳細の縦断面図である。
【図１５】前記第２実施形態のショーケースにおいて図１４と対比させた状態を示す部分詳細の縦断面図である。
【発明を実施するための形態】
【００１２】
以下に、図１〜１１を参照して本発明に係るショーケースの第１実施形態を説明する。
まず、図１〜４に基づいてショーケース１の全体を説明する。
本実施形態のショーケース１は、例えば、コンビニエンスストアの売り場のレジ用カウンター１００の上等に載置されるようになっている。
そして、図１，３において、左側が、客が商品Ｃを選択・注文し、かつ受け取るための前面側であり、右側が、店の係員がショーケース１の陳列棚に商品を陳列したり、陳列してある商品Ｃの中から所定の商品Ｃを取り出して受け渡す背面側である。
【００１３】
本第１実施形態のショーケース１は、内部に商品Ｃを陳列する複数段（第１実施形態では４段）、すなわち、最上段の陳列棚Ａ１、上から二段目の陳列棚Ａ２、三段目の陳列棚Ａ３、および最下段の陳列棚Ａ４を設けたケース本体１０と、各陳列棚Ａ１〜Ａ４を照らす照明装置であるＬＥＤ５０とを備えて構成されている。
【００１４】
ケース本体１０は、左側面および右側面に配置された側面枠部材１１，１１と、これらの側面枠部材１１，１１の上部に架けわたされた上部フレーム１２と、側面枠部材１１の下部に架けわたされた下部フレーム１３と、上部フレーム１２および下部フレーム１３の前面側に配置された前面透明部材である前面ガラス１４と、上部フレーム１２および下部フレーム１３の背面側に配置された背面扉１５とを備えて構成されている。
【００１５】
そして、前面ガラス１４は、各陳列棚Ａ１〜Ａ４に対応して複数枚、つまり、最上段の前面ガラス１４−１、上から二段目の前面ガラス１４−２、上から三段目の前面ガラス１４−３，および最下段の前面ガラス１４−４で構成されている。
これらの各前面ガラス１４−１〜１４−４は、透明部材開閉支持機構であるガラス開閉支持機構３０により、それぞれが開閉自在に構成されている。
【００１６】
また、後に詳細を説明するように、ガラス開閉支持機構３０は、各前面ガラス１４−１〜１４−４の上部領域に対応して、側面枠部材１１，１１の同位置に設けられた回動支持軸３１と、各前面ガラス１４−１〜１４−４に設けられ回動支持軸３１に回動自在に係合する係合部材３２と、で構成されている。
【００１７】
図１，３に示すように、側面枠部材１１，１１は、その前面が上部から下部に向かって下部側が広くなるように緩やかな湾曲状に傾斜した形状に形成され、この側面形状に略沿うようにして上記各前面ガラス１４−１〜１４−４からなる前面ガラス１４が設けられている。そして、ショーケース１は、全体略縦型の四角形形状に形成されている。
【００１８】
図３，５に示すように、側面枠部材１１の表面には、当該側面枠部材１１の外形形状に略沿った形状で切欠き窓部１１Ａが形成されており、この切欠き窓部１１Ａには、当該切欠き窓部１１Ａを塞ぐ側面ガラス１６が、側面枠部材１１の内側から設けられている。
すなわち、側面枠部材１１の内側には、図５に示すように凹部１１Ｂが側面枠部材１１の全周にわたって形成されており、この凹部１１Ｂ内には、板金を断面略コ字状に折り曲げ形成した内側部材１７が嵌め込まれている。
ここで、内側部材１７の厚さ方向の互いに対向する端部には、その厚さ方向に外側が低くなった段差部１７Ａが形成され、この段差部１７Ａに上記側面ガラス１６が嵌め込まれるようになっている。
【００１９】
側面ガラス１６は、段差部１７Ａに嵌め込まれると共に外側の一部が、前記側面枠部材１１の切欠き窓部１１Ａを形成する内側側面の端面１１Ｃに支持されている。また、側面ガラス１６の内側面は、陳列棚Ａ１〜Ａ４を構成する４段のヒータープレート２１−１〜２１−４のそれぞれの側面により、上記段差部１７Ａ側に押圧された状態となっている。そして、ヒータープレート２１−４等は、そのネジ止め用孔２１Ａ（図９参照）に内側部材１７の内面からビス２４をねじ込んで固定されるようになっている。
【００２０】
言い換えれば、側面ガラス１６は、上記内側側面の端面１１Ｃおよび段差部１７Ａと４段のヒータープレート２１−１〜２１−４とに挟み込まれた状態で保持されている。そして、各ヒータープレート２１−１〜２１−４と側面ガラス１６との間には、側面ガラス１６を保護するためのゴムスペーサー１９が介在されている。ここで、ゴムスペーサー１９と前記板金からなる内側部材１７の内側面とは面一状態となっている。
また、側面枠部材１１の凹部１１Ｂの深さ寸法と、その凹部１１Ｂに嵌まり込む内側部材１７の高さ寸法とは、略同じ寸法となっている。
【００２１】
内側部材１７は、側面枠部材１１，１１の凹部１１Ｂ内に嵌め込まれると共に、図５，８に示すように、凹部１１Ｂから内側に突出したボス１７Ｂに、内側部材１７の表面からビス２０をねじ込んで側面枠部材１１，１１に固定されている。ボス１７Ｂは側面枠部材１１，１１と一体的に形成されている。
なお、図５では、凹部１１Ｂ内に１つのボス１７Ｂが設けられた状態が示されているが、ボス１７Ｂは側面枠部材１１，１１の凹部１１Ｂの全周複数箇所にバランスよく設けられている。
【００２２】
前記上部フレーム１２は、図６に詳細を示すように、フレーム上部材１２Ａと、当該フレーム上部材１２Ａに接続され、かつ連続する接続天井板１２Ｂとで構成されており、この上部フレーム１２は側面枠部材１１，１１の最上部に架けわたされている。
フレーム上部材１２Ａは、例えばアルミ押出し成形により断面略円弧状に形成されており、後述する最上段のガラス位置決め機構３５の側面部が前面側から見えるのを隠すことができるような幅寸法に形成されている。
また、フレーム上部材１２Ａは、前記板金からなる内側部材１７の外側から（凹部１１Ｂ内から）ビス等（図略）により取り付けられている。
【００２３】
さらに、接続天井板１２Ｂは、例えばアルミ板で形成されているが、通常の鋼板で形成してもよく、あるいはガラス板で形成してもよい。ガラス板で形成した場合は、ショーケース１の上面からも最上段の陳列棚Ａ１を見ることができる。
なお、フレーム上部材１２Ａと接続天井板１２Ｂとを一体的に形成してもよい。その場合、一部材ですむので省部材化と製作の手間を少なくすることができる。
【００２４】
前記下部フレーム１３は、図９に詳細を示すように、フレーム下部材１３Ａと、当該フレーム下部材１３Ａに連続して接続さる接続底板１３Ｂとで構成されており、この下部フレーム１３は側面枠部材１１，１１間の最下部に架けわたされている。
フレーム下部材１３Ａは、例えばアルミ押出し成形により断面略半円形状に形成されており、最下段の前面ガラス１４−４を開いたときでも、最下段の陳列棚Ａ４を構成するヒータープレート２１−４が、前面側から見えるのを隠すことができるような幅寸法に形成されている。
【００２５】
また、フレーム下部材１３Ａは、図５に示すように、前記板金からなる内側部材１７の外側から（凹部１１Ｂ内から）ビス３４により取り付けられている。
さらに、下部フレーム１３の接続底板１３Ｂの下面四隅には、レジ用カウンター１００に載せても滑らず、安定して設置できるようにゴム足６０が取り付けられている。
【００２６】
前記前面ガラス１４は、前述のように、各陳列棚Ａ１〜Ａ４にそれぞれ対応する前記各前面ガラス１４−１〜１４−４で構成されている。
各前面ガラス１４−１〜１４−４は、それぞれ扁平ガラスで形成されており、すべてが同一形状、同一構成となっている。そして、図２に示すように、側面枠部材１１，１１間の略全幅にわたる長さ寸法に形成されている。
【００２７】
各前面ガラス１４−１〜１４−４のさらに詳細な構成を、代表して図７に基づいて説明する。
図７には、上記前面ガラス１４−３の下部と前面ガラス１４−４の上部近傍の詳細が示されている。
前面ガラス１４−３および１４−４は、それぞれガラス本体部１４Ａと、そのガラス本体部１４Ａの縁部全周を覆う補強フレーム部１４Ｂとで構成されている。
そして、この補強フレーム部１４Ｂは、ガラス本体部１４Ａの上部縁部を覆う上フレーム部１４ｃと、ガラス本体部１４Ａの下部縁部を覆う下フレーム部１４ｄと、ガラス本体部１４Ａの左右の縁部を覆う側部フレーム部１４ｅとで構成されている。
【００２８】
なお、図７では、前面ガラス１４−３、１４−４のみを示してあり、それらについて説明したが、前記前面ガラス１４−１、１４−２の構成も前面ガラス１４−３等と全く同じである。
ここで、補強フレーム部１４Ｂのうち、側部フレーム部１４ｅは、例えば、ステンレス製の薄板で形成され、補強フレーム部１４ｃは、アルミ押出し成形あるいはステンレス製の薄板で形成され、補強フレーム部１４ｄは、アルミ押出し成形により形成されたものが用いられている。
【００２９】
また、各前面ガラス１４−１〜１４−４の補強部１４Ｂにおける下フレーム部１４ｄの幅寸法は、前面ガラス１４−３等を閉じているとき、ショーケース１の前面部から各位置決め機構３６〜３８およびＬＥＤ５０が、見えないような幅寸法に形成されている。
下フレーム部１４ｄは、上述のように、アルミ押出し成形されたものとなっているので、不透明であり、これにより、下フレーム部１４ｄがガラス位置決め機構３５の外側面を覆ったとき、その外側面を隠すことができる。その結果、その部分、つまり、下フレーム部１４ｄを、図１１に示すように、商品名や価格を表示するプライスカードＰＣを貼付するホルダースペースＨＳとすることができるようになっている。
【００３０】
すなわち、図１１に示すように、上記ホルダースペースＨＳは、ショーケース１の正面側（前面側）で各陳列棚Ａ１〜Ａ４の前面側に位置するようになっている。そして、ホルダースペースＨＳには、各陳列棚Ａ１〜Ａ４のそれぞれのトレイ２２に対応して上記プライスカードＰＣが貼付されており、これらのプライスカードＰＣには、例えば、から揚げ、アメリカンドッグ等の商品名が記入されている。
また、プライスカードＰＣは、トレイ２２に陳列される商品に自在に対応できるように、ホルダースペースＨＳに容易に着脱できるようになっている。
【００３１】
以上のような構成の各前面ガラス１４−１〜１４−４は、図１，７等に示すように、側面枠部材１１，１１と前面ガラス１４−４等とにわたって設けられた前記ガラス開閉支持機構３０により、それぞれが独立して開閉自在な構成とされている。
【００３２】
また、前面ガラス１４−４等は、透明部材位置決め機構であるガラス位置決め機構３５により所定の位置に位置決めされるようになっている。このガラス位置決め機構３５は、各前面ガラス１４−１〜１４−４の相互間かつ側面枠部材１１，１１にわたって設けられている。
【００３３】
さらに、ガラス位置決め機構３５により各前面ガラス１４−１〜１４−４が所定の位置に位置決めされた後、ガラス位置決め機構３５と各前面ガラス１４−１〜１４−４とにわたって設けられた前面ガラス用の簡易ロック機構４０により所定位置に係止されるようになっている。
【００３４】
前記ガラス開閉支持機構３０は、図７，８に詳細を示すように、また、前述したように、ピン状の回動支持軸３１と係合部材３２とで構成されている。
すなわち、回動支持軸３１は、前面ガラス１４−４等の外表面の外側でかつ上部領域において、側面枠部材１１，１１の内側部材１７の表面から同位置で、かつ当該内側部材１７と一体となって内側に突出して設けられている。
これに対して、係合部材３２は、前面ガラス１４−４等の幅方向両端面に設けられた略Ｊ字形状の板部材で形成され、Ｊ字形状の内円部が回動支持軸３１と回動自在に係合するようになっている。つまり、各前面ガラス１４−１〜１４−４は、左右の側面枠部材１１，１１の内側の２箇所で回動支持軸３１により回動自在に支持されていることになる。
【００３５】
また、図７において、前面ガラス１４−３をガラス開閉支持機構３０の回動支持軸３１を回動中心として、矢印Ａ方向に回動させた場合、図１２に示すように略水平状態にまで開くことができる。そして、その状態から、係合部材３２を回動支持軸３１から外す方向に持ち上げることで、前面ガラス１４−３をケース本体１０から取り外すことも可能な構成となっている。
ここで、図１２に示すように、前面ガラス１４−３は、回動支持軸３１を回動中心として、上部側が寸法Ｌ１の長さ、下部側が寸法Ｌ２の長さとなっている。前面ガラス１４−４の下部側が長くなっているので下部側が重くなっているので、下部側が自重により閉じるようになっている。
【００３６】
前記ガラス位置決め機構３５は、図１に示すように、各前面ガラス１４−１〜１４−４に対応する複数個で構成されている。
すなわち、図１に示すように、前面ガラス１４−１の上部に対応する第１の位置決め機構３６、前面ガラス１４−１の下部と前面ガラス１４−２の上部に対応する第２の位置決め機構３７、前面ガラス１４−２の下部と前面ガラス１４−３の上部に対応する上記第２の位置決め機構３７、前面ガラス１４−３の下部と前面ガラス１４−４の上部に対応する上記第２の位置決め機構３７、前面ガラス１４−４の下部に対応する第３の位置決め機構３８とで構成されている。
【００３７】
そして、第１の位置決め機構３６と、第２の位置決め機構３７と、第３の位置決め機構３８との構成は基本的な部分では全く同じであるが、取り付け位置の関係で、わずかに異なった構成となっている。
これらの各位置決め機構３６〜３８は、すべてアルミ押出し成形品となっている。
【００３８】
まず、図７に基づいて、各位置決め機構３６〜３８のうち、代表して、第２の位置決め機構３７の構成を説明する。
【００３９】
第２の位置決め機構３７は、前面ガラス１４−３の下部と前面ガラス１４−４の上部との相互間、かつ前記各側面枠部材１１，１１にわたって、前記前面ガラス１４−３と前面ガラス１４−４を閉じたとき、その上部および下部が当接するようになっている。
第２の位置決め機構３７は断面逆凹状に形成されており、その内面部側に前面ガラス１４−４の上部が当接する第１のストッパ部３７Ａが設けられている。この第１のストッパ部３７Ａは、位置決め機構３７の内面部に、前面ガラス１４−４の取付け角度と同じ角度で斜め下方に突出して形成された突出部３７Ｂと、この突出部３７Ｂの凹部内に装着された緩衝部材であるゴムパッキン３９とで構成されている。
【００４０】
また、第２の位置決め機構３７の外面部側に前面ガラス１４−３の下部が当接する第２のストッパ部３７Ｃが設けられている。この第２のストッパ部３７Ｃは、位置決め機構３７の外面部に上方に突出して形成された略三角形の突出部３７Ｄと、前面ガラス１４−３の下フレーム部１４ｄに装着された緩衝部材である上記ゴムパッキン３９とで構成され、このゴムパッキン３９が上記突出部３７Ｄの一辺の斜辺に当接することで、前面ガラス１４−３を閉じたときの衝撃を緩和することができるようになっている。
【００４１】
上記各ゴムパッキン３９は、第２の位置決め機構３７の突出部３７Ｂの全長にわたって設けられ、また、突出部３７Ｄの側面の全長にわたって当接するようになっている。
ただし、例えば、第２の位置決め機構３７の両端部と中央部の２箇所との合計４箇所、あるいはそれ以上の箇所で部分的に当接するようにしてもよい。
【００４２】
第２の位置決め機構３７の内面部側において、第１のストッパ部３７Ａの突出部３７Ｂ近傍で前面ガラス１４−４の上部領域、かつ外表面側には、上記ＬＥＤ５０が取付けられている。このＬＥＤ５０は、前面ガラス１４−４が対応する第４段目の陳列棚Ａ４を最適な状態で照射できるように、取付け角度等を調整して取付けられている。
【００４３】
また、第２の位置決め機構３７の上面において上記略三角形の突出部３７Ｄに隣接する位置には、断面略凹状のカス受２３が着脱可能に設けられている。このカス受２３は、図１等にも示すように、ヒータープレート２１の上面に載置された商品収容用のトレイ２２の一端部に接するように設けられており、トレイ２２内の商品Ｃからこぼれたコロモ等のカスを受けるために設けられたものである。
【００４４】
第２の位置決め機構３７は、図７に示すように、幅方向の両端２箇所にあけられたねじ止め用孔３７Ｅに、前記側面枠部材１１，１１の外面からビス（図略）をねじ込んで固定されている。
【００４５】
次に、図６に基づいて、前記第１の位置決め機構３６の説明をする。
この第１の位置決め機構３６は前記上部フレーム１２に前記内側部材１７を介して設けられており、最上段の前面ガラス１４−１に対応しているため、前記第２の位置決め機構３７における第２のストッパ部３７Ｃと簡易ロック機構４０とカス受２３とを設ける必要がないので、前記第１のストッパ部３６Ａと、ＬＥＤ５０とが設けられた構成となっている。
第１の位置決め機構３６は、上面が略平坦な略逆凹状形状に形成されており、その内面部側に、第１のストッパ部３６Ａと、ＬＥＤ５０とが設けられている。そして、第１のストッパ部３６Ａは、突出部３６Ｂと前記ゴムパッキン３９とで構成されている。
この第１の位置決め機構３６の側面枠部材１１，１１への取り付けも、上記第２の位置決め機構３７の取り付けと同様に行われる。
【００４６】
今度は、図９に基づいて、前記最下段の前面ガラス１４−４の下部および最下段陳列棚Ａ４に対応した第３の位置決め機構３８の説明をする。
この第３の位置決め機構３８は、最下段の前面ガラス１４−４の下部に対応しているため、前記第２の位置決め機構３７における第１のストッパ部３７ＡとＬＥＤ５０とを設ける必要がないので、前記第２のストッパ部３８Ｃと、簡易ロック機構４０とが設けられた構成となっている。第１のストッパ部とＬＥＤ５０とが設けられていないだけであり、第３の位置決め機構３８の構成は前記第２の位置決め機構３７と全く同じである。
この第３の位置決め機構３８の側面枠部材１１，１１への取り付けも、上記第２の位置決め機構３７の取り付けと同様に行われる。
【００４７】
前述のように、各前面ガラス１４−１〜１４−４は開閉自在となっているが、図７，９，１０に示すように、通常時は前記簡易ロック機構４０によりロックされるようになっている。
すなわち、前述のように、前面ガラス１４−３等は、回動支持軸３１を回動中心として、上部側に対して下部側が重くなっているので、下部側が自重により閉じるようになっているが、さらに、客が各前面ガラス１４−１〜１４−４を開閉できないように、簡易ロック機構４０を設けたものである。
簡易ロック機構４０は、第２の位置決め機構３７のＬＥＤ５０の外方側の一側面端部に設けられている。簡易ロック機構４０は、第２の位置決め機構３７の一側面端部の係合部３７Ｇに係合して設けられたロック部材４１と、前記下フレーム部１４ｄの下部先端部１４ｆに形成された先端突起部１４ｇとで構成されている。
【００４８】
ロック部材４１は、断面Ｃ字状に形成されており、第２の位置決め機構３７の全長にわたって設けられている。また、ロック部材４１の外側面には、図１０に示すように、段差状のロック部４１ａがロック部材４１の全長にわたって形成されている。
【００４９】
これに対して、先端突起部１４ｇは、下フレーム部１４ｄを下方に延出させ、かつ延出部先端を断面Ｌ字状に折り曲げて形成された下部先端部１４ｆに形成されている。
先端突起部１４ｇはロック部材４１側に所定寸法突出しており、この先端突起部１４ｇが、前面ガラス１４−３を閉じたとき、ロック部材４１の外側面に形成されている上記ロック部４１ａに嵌り込んで前面ガラス１４−３が係止されるようになっている。
なお、図７では、第２の位置決め機構３７と前面ガラス１４−３とのロック状態を説明したが、前記第１の位置決め機構３７と前面ガラス１４−１および第３の位置決め機構３８と前面ガラス１４−４とのロック状態も上記と同様である。
【００５０】
前記４段の陳列棚Ａ１〜Ａ４は、図１〜４に示すように、各段に対応するヒータープレート２１−１〜２１−４と、それぞれのヒータープレート２１−１等の上面にそれぞれ載置されるトレイ２２とを備えて構成されている。
【００５１】
ヒータープレート２１−４等は、左右の側面枠部材１１，１１間に架けわたされ、図９に示すように、ヒータープレート２１−４等の側面にあけられているネジ止め用孔２１Ａに、図５に示すように、前記内側部材１７からビス２４をねじ込んで固定されている。
各ヒータープレート２１−１〜２１−４には、電源からの配線２９Ａが、例えば側面に接続されている。また、各ヒータープレート２１−１〜２１−４は、図３に示すように、それぞれの幅方向の長さが異なっている。
ここで、上から１，２段目のヒータープレート２１−１，２１−２を加熱用とし、３，４段目のヒータープレート２１−３，２１−４を常温用とすることもできる。ヒータープレート２１−３，２１−４を常温用とする場合、そのヒータープレート２１−３，２１−４への電気の供給を停止することで対応すればよい。
【００５２】
複数段の陳列棚Ａ１〜Ａ４を構成する各ヒータープレート２１−１〜２１−４の上面には、図１に示すように、各段に例えばそれぞれ４個のトレイ２２が載置されるようになっており、これらのトレイ２２の内面部には、から揚げ等の陳列商品Ｃが収容されるようになっている。
また、各トレイ２２の前面側端部は、図１に示すように、前記カス受２３の一方側の端部と当接するようになっている。
【００５３】
図４に示すように、ケース本体１０の背面には、前記背面扉１５が設けられており、この背面扉１５は、前記陳列棚Ａ１〜Ａ４および各前面ガラス１４−１〜１４−４に対応する４枚の背面扉１５−１〜１５−４が設けられている。これらの背面扉１５−１〜１５−４は、それぞれガラスで形成された引き戸形式の扉となっている。
なお、各段独立方式の引き戸ガラスに換えて４段全部を覆う引き戸形式のガラスとしてもよく、また、各段ごとの観音開き方式、あるいは４段全部を覆う観音開き方式の扉としてもよい。
【００５４】
図１，４に示すように、ケース本体１０の背面には、最下段のヒータープレート２１Ｄと下フレーム部１４ｄの背面側端面との間に配置された背面蓋板２５が設けられている。この背面蓋板２５で囲われた内部空間にはＤＣ／ＡＣ変換器（図略）やＬＥＤ５０用の配線、ヒータープレート２１Ａ〜２１Ｄ用の配線２９Ａ等が収容されている。
【００５５】
また、背面蓋板２５には、ショーケース１の使用状態、例えば第何段目の前面ガラス１４が開かれているか、ヒータースイッチが常温用か、加熱用か等を表示する表示基板２６、ＬＥＤ５０を照射するための照明スイッチ２７、各ヒータープレート２１Ａ〜２１Ｄに常温用、あるいは加熱用の電気を供給するためのヒータースイッチ２８Ａ，２８Ｂが設けられている。さらに、外部電源に接続するための３Ｐ電源コード２９が設けられている。
【００５６】
次に、本第１実施形態のショーケース１の作用を説明する。
ショーケース１の各前面ガラス１４−１〜１４−４の内面部が、陳列棚Ａ１〜Ａ４に収容されている商品Ｃの油分を含んだ湯気や、熱気により汚れた場合、所定の前面ガラス１４−１等を開いてから清掃する。
【００５７】
清掃に際しては、図１に示すように、例えば前面ガラス１４−３の補強フレーム部１４Ｂにおける下フレーム部１４ｄの下部を手前側に引き寄せるようにして開くと、前面ガラス１４−３の係合部材３２が回動支持軸３１にガイドされ自在に回動して開くことができる。
【００５８】
この際、作業者は、例えば、図７に示すように、前面ガラス１４−３の補強フレーム部１４Ｂにおける下フレーム部１４ｄの先端突起部１４ｇを手前側に引いて、第２の位置決め機構３７に設けられたロック部材４１のロック部４１ａから先端突起部１４ｇを外すと共に、前面ガラス１４−３の下部を手前側に引いて、前面ガラス１４−３の係合部材３２をガラス開閉支持機構３０の回転支持軸３１を中心に回動させ、清掃可能な状態、例えば水平状態まで開く。
その後、作業者は、開いた状態を維持しながら、前面ガラス１４−１の内側面を清掃する。
【００５９】
清掃が終了したら、前面ガラス１４−３の下部を押して前面ガラス１４−１を閉じる。前面ガラス１４−１の下部を押して閉じて行くと、前面ガラス１４−３の下部フレーム部１４ｄの先端突起部１４ｇとロック部材４１のロック部４１ａとが係合して、前面ガラス１４−１がガラス位置決め機構３５の第２の位置決め機構３７に係止される。
他の前面ガラス１４−１，１４−２，１４−４の開閉動作も上記と同様に行われる。
【００６０】
なお、図１２に示すように、例えば前面ガラス１４−４を回動させて水平状態にした後、斜め上方に持ち上げるようにして、係合部材３２と回動支持軸３１との係合状態を外すことで、その前面ガラス１４−３をケース本体１０から取り外すことができる。
そして、このようにすることで、前面ガラス１４−３の内面側の清掃をより容易に行うことができる。
また、いずれかの前面ガラス１４−４等が破損した場合にも、破損したその前面ガラス１４−４等のみを取り外して交換することができるので、例えば、前面ガラスが１枚の全面ガラスで構成されている場合等に比べて交換が容易であり、交換のための費用も少なくてすむ。
【００６１】
以上のような構成のショーケース１によれば次のような効果が得られる。
（１）前面ガラス１４が４段の陳列棚Ａ１〜Ａ４に対応して４枚の前面ガラス１４−１〜１４−４で構成されており、それぞれの前面ガラス１４−１〜１４−４がガラス開閉支持機構３０により前面ガラス１４−１〜１４−４の上部側を回動支点として開閉自在な構成となっているので、内面部の清掃を必要とする場合、例えば前面ガラス１４−３の下部側を開いて、前面ガラス１４−３を例えば水平状態にして清掃することができる。前面ガラス１４が４枚の前面ガラス１４−１〜１４−４で構成されており、１枚１枚の前面ガラス１４−３等の面積が小さくなっているので、清掃作業も楽であり、清掃が容易となる。
【００６２】
（２）各前面ガラス１４−１〜１４−４のそれぞれが、ガラス開閉支持機構３０により独立して開閉できるので、内面部に汚れが目立つ、例えば、前面ガラス１４−１のみを選択して清掃することができる。その結果、清掃中でも他段の陳列棚Ａ２〜Ａ４のトレイ２２に収容された商品Ｃが冷めることがないので、稼働効率の低下を招くことがない。
【００６３】
（３）各前面ガラス１４−１〜１４−４が、ガラス開閉支持機構３０の回転支持軸３１に回転自在に支持されており、必要に応じて、取り外すことができる。その結果、例えば前面ガラス１４−３の汚れが特にひどい場合、その前面ガラス１４−３を取り外して、所定の場所で、例えば水やスチーム等をかけて清掃することができるので、清掃がより容易となる。
【００６４】
（４）各前面ガラス１４−１〜１４−４が、ガラス開閉支持機構３０の回転支持軸３１に回転自在に支持されており、必要に応じて、取り外すことができる。その結果、いずれかの前面ガラス１４−４等が破損した場合にも、破損したその前面ガラス１４−４等のみを取り外して交換することができるので、例えば、前面ガラスが１枚の全面ガラスで構成されている場合等に比べて交換が容易であり、交換のための費用も少なくてすむ。
【００６５】
（５）ガラス開閉支持機構３０により各前面ガラス１４−１〜１４−４が、その上部側に設けられている回動支持軸３１を回動支点として開閉自在となっているので、各前面ガラス１４−１〜１４−４の下部側が上部側に対して重くなっている。そのため、店員等が開かない限りは各前面ガラス１４−１〜１４−４が自重により閉じた状態を維持でき、勝手に開いたりすることがないので、安全に商品Ｃを陳列することができる。
【００６６】
（６）各前面ガラス１４−１〜１４−４の下部と、位置決め機構３６〜３８の一側面とにわたって設けられた簡易ロック機構４０により、通常時には、各前面ガラス１４−１〜１４−４が位置決め機構３６〜３８に係止されている。このため、客が各前面ガラス１４−１〜１４−４を開くことができないので、安全を確保することができる。
【００６７】
（７）ＬＥＤ５０が各前面ガラス１４−１〜１４−４に対応する位置決め機構３６，３７にそれぞれ取り付けられ、各陳列棚Ａ１〜Ａ４を上方から照射できるようになっているので、各陳列棚Ａ１〜Ａ４の商品Ｃを高照度で照らすことができる。その結果、商品Ｃが見やすくなり、客が商品Ｃを選択しやすくなる。
【００６８】
（８）ＬＥＤ５０がガラス位置決め機構３５の、各前面ガラス１４−１〜１４−３の外部に設置されているので、熱に弱いＬＥＤ５０を保護することができるうえに、寿命による交換時にも、ショーケース１を運転したままで交換することができる。
【００６９】
（９）各前面ガラス１４−１〜１４−４の下フレーム部１４ｄの幅寸法は、ショーケース１の前面部から各位置決め機構３６〜３８およびＬＥＤ５０が見えないような幅寸法に形成されている。下フレーム部１４ｄは、アルミ押出し成形されたものとなっているので、不透明であり、これにより、下フレーム部１４ｄがガラス位置決め機構３５の外側面を覆ったとき、その外側面を隠すことができる。その結果、その部分、つまり、下フレーム部１４ｄを、商品名や価格を表示するプライスカードＰＣを貼付するホルダースペースＨＳとすることができるので、新たにホルダースペースを設けなくてよく、下フレーム部１４ｄの有効利用することができる。
【００７０】
（１０）背面蓋板２５には、表示基板２６、照明スイッチ２７、およびヒータースイッチ２８Ａ，２８Ｂが設けられているので、ショーケース１の使用状態、ヒータースイッチが常温用か加熱用か、ＬＥＤ５０が正常か、各ヒータープレート２１Ａ〜２１Ｄに設定どおりの電気が供給されているか、等を、ショーケース１の前面側に回らなくても、レジ用カウンター１００の中から監視することができる。
【００７１】
（１１）背面扉１５が、４段の陳列棚Ａ１〜Ａ４および各前面ガラス１４−１〜１４−４に対応する４枚の引き戸形式の背面扉１５−１〜１５−４で構成されており、必要な段の陳列棚Ａ１〜Ａ４に対する背面扉１５−１等のみを開閉することができるので、例えば、所定の背面扉１５−１を開いた場合でも、他の段の商品Ｃへの悪影響を防止することができる。
【００７２】
次に、図１３に基づいて、本発明のショーケースの第２実施形態を説明する。
前記第１実施形態のショーケース１では、４段に構成された陳列棚Ａ１〜Ａ４に対応する４枚の前面ガラス１４−１〜１４−４がそれぞれ扁平状に形成されていたが、本第２実施形態のショーケース１Ａでは、前面ガラス４４が４枚の前面ガラス４４−１〜４４−４で構成されている。そして、前面ガラス４４−１〜４４−４が、図１３，１５に示すように、陳列棚Ａ１〜Ａ４側から手前側に膨らむ断面円弧形状の曲面ガラスで形成されているものである。
第１実施形態と第２実施形態とは、前面ガラス１４，４４の形状が異なるのみで、その他の構成等は全く同じなので、異なる部分のみに異なる符合を付して説明する。
【００７３】
ここで、図１４に示すように、陳列棚Ａ３上のトレイ２２に高さの高い商品Ｃが陳列されているとき、前記第１実施形態の、例えば、前面ガラス１４−３等のように扁平ガラスで構成されている場合、その商品Ｃの上部と前面ガラス１４との間隔Ｓ１が接近することになる。そうすると、その商品Ｃからの湯気や熱気により前面ガラス１４−３の内面が曇り、三段目の陳列棚Ａ３内の商品Ｃが見えにくくなるという問題が生じる。
【００７４】
本第２実施形態のショーケース１Ａでは、上記問題を解決するために提案されたもので、各前面ガラス４４−１〜４４−４の内面と商品Ｃとの距離を少しでも多くとり、前面ガラス４４−１等の内面部に対して、商品Ｃからの湯気や熱気の影響を少なくしようとしたものである。
【００７５】
第２実施形態のショーケース１Ａでは、その前面ガラス４４−１〜４４−４が曲面ガラスで形成されているので、その曲面ガラスを取り付けるためのガラス位置決め機構４５の形状は、基本的には前記第１実施形態の位置決め機構３５と同じであるが、一部の形状がわずかに異なっている。
すなわち、図１５に示すように、第２実施形態のガラス位置決め機構４５を構成する第３の位置決め機構４７は、前面ガラス４４−３、前面ガラス４４−４等が曲面ガラスで構成されているので、その上部および下部をストップする第１、第２のストッパ部４７Ａ，４７Ｃの構成が、曲面ガラスを取り付けることができるように形成されている。
具体的には、本第２実施形態の第１、第２のストッパ部４７Ａ，４７Ｃに設けられるゴムパッキンの３９の取り付け角度が異なっているものである。
【００７６】
本実施形態のガラス位置決め機構４５は、前面ガラス４４−１の上部に対応する第１の位置決め機構４６、前面ガラス４４−１の下部と前面ガラス４４−２の上部に対応する第２の位置決め機構４７、前面ガラス４４−２の下部と前面ガラス４４−３の上部に対応する上記第２の位置決め機構４７、前面ガラス４４−３の下部と前面ガラス４４−４の上部に対応する上記第２の位置決め機構４７、前面ガラス４４−４の下部に対応する第３の位置決め機構４８とで構成されている。
そして、これらの各位置決め機構４６，４８の構造と、上記図１５で説明した第２の位置決め機構４７の構造とは略同じである。ただし、第１の位置決め機構４６では、第２のストッパ部が不要であり、第３の位置決め機構４８では、第１のストッパ部とＬＥＤとが不要である。
【００７７】
以上のような構成の第２実施形態のショーケース１Ａによれば、前記（１）〜（１１）と略同様の効果の他、次のような効果が得られる。
（１２）各前面ガラス４４−１〜４４−４が曲面ガラスで構成されており、その内面部と商品Ｃとの間隔Ｓ２を、扁平ガラスで構成した第１実施形態の前面ガラス１４−１等の場合より多くとることができるので、商品Ｃからの湯気や熱気の影響を少なくすることができ、その結果、陳列棚Ａ１〜Ａ４内の商品Ｃを見やすくすることができる。
【００７８】
以上、上記各実施形態を参照して本発明を説明したが、本発明は上記各実施形態に限定されるものではない。本発明の構成や詳細については、当業者が理解し得るさまざまな変更を加えることができる。また、本発明には、上記各実施形態の構成の一部又は全部を相互に適宜組み合わせたものも含まれる。
【００７９】
例えば、前記各実施形態では、各前面ガラス１４−１〜１４−４、および各前面ガラス４４−１〜４４−４を、上部側を回動支店として下部側を開閉自在な構成としたが、これに限らず、各前面ガラス１４−１〜１４−４、および各前面ガラス４４−１〜４４−４をそれぞれスライド式の開閉構造としてもよい。要は、複数枚で構成された前面ガラス１４−１等のそれぞれが単独で開閉できる構成であればよい。
【００８０】
また、前記各実施形態では、前面ガラス１４と前面ガラス４４とを、それぞれ４段からなる構成としたが、これに限らない。ショーケース１，１Ａの大きさに対応させて、３段あるいは５段からなる前面ガラス構成としてもよい。
【産業上の利用可能性】
【００８１】
本願発明は、例えばコンビニエンスストア等で用いられそのレジ用カウンターに設置する際に利用できる。
【符号の説明】
【００８２】
１    ショーケース（第１実施形態）
１０    ケース本体
１１    枠体
１２    上部フレーム
１３    下部フレーム
１４    前面ガラス（透明部材）
１４Ａ  前面ガラス本体部
１４Ｂ  補強フレーム部
１４ｃ  上フレーム部
１４ｄ  下フレーム部
１４ｅ  側部フレーム部
１４−１  最上段前面ガラス
１４−２  二段目前面ガラス
１４−３  三段目前面ガラス
１４−４  最下段前面ガラス
２１    ヒータープレート
３０    ガラス開閉支持機構（透明部材開閉支持機構）
３１    回動支持軸
３２    係合部材
３５    ガラス位置決め機構（透明部材位置決め機構）
３６    ＬＥＤ（照明装置）
３７    第２の位置決め機構
３７Ａ  第１のストッパ部
３７Ｃ  第２のストッパ部
３９    ゴムパッキン
４０    ガラス用簡易ロック機構（透明部材用簡易ロック機構）
４１    ロック部材
４１ａ  ロック部
１Ａ  ショーケース（第２実施形態）
４４−１  最上段前面ガラス
４４−２  二段目前面ガラス
４４−３  三段目前面ガラス
４４−４  最下段前面ガラス
５０    ＬＥＤ（照明装置）
Ａ１    最上段陳列棚
Ａ２    二段目陳列棚
Ａ３    三段目陳列棚
Ａ２    最下段陳列棚
【図１】
2015016023.tif 000003
【図２】
2015016023.tif 000004
【図３】
2015016023.tif 000005
【図４】
2015016023.tif 000006
【図５】
2015016023.tif 000007
【図６】
2015016023.tif 000008
【図７】
2015016023.tif 000009
【図８】
2015016023.tif 000010
【図９】
2015016023.tif 000011
【図１０】
2015016023.tif 000012
【図１１】
2015016023.tif 000013
【図１２】
2015016023.tif 000014
【図１３】
2015016023.tif 000015
【図１４】
2015016023.tif 000016
【図１５】
2015016023.tif 000017